(57)【要約】【課題】反射面を効果的に用いるなどにより、演出部材など様々なオブジェクトが配置された配置空間内を、実際の広さより広く遊技者にイメージさせ得るようにした弾球遊技機を提供する。【解決手段】本パチンコ機では、内方空間の外郭を形成する外郭形成部６８に、内方空間内のオブジェクト６７を映す内側面（反射面）６８ａを設けている。これにより、遊技者が、内方空間内のオブジェクトが映っている反射面を視認することで、該オブジェクトの内方空間をその実際の広さ以上の空間的広がりとして実感することができる。このため、センター飾り自体の大きさを実際より大きく感じさせ、反射面によって最大空間の広がりを演出することができる。【選択図】図４
2009153746.tif 000002
【特許請求の範囲】
【請求項１】
遊技領域を有する遊技盤と、該遊技領域に設けられてオブジェクトを配置する配置空間と、を備え、前記遊技領域に遊技球を打ち出して遊技してなる弾球遊技機において、
前記配置空間の外郭を形成する外郭形成部の少なくとも一部に、前記配置空間内の前記オブジェクトを映す反射面を設けてなる、
ことを特徴とする弾球遊技機。
【請求項２】
前記遊技盤に配置されたセンター役物を備え、かつ前記遊技領域における該センター役物の左右幅方向の一側及び他側に、入賞装置が下流側に配置されている流路である第１流路及び前記入賞装置が下流側に配置されていない流路である第２流路をそれぞれ備え、
前記外郭形成部が前記第２流路に隣接し、かつ前記反射面が該外郭形成部の内側面である、
請求項１記載の弾球遊技機。
【請求項３】
前記遊技盤にその表裏を貫通するように形成された貫通開口と、該貫通開口に嵌め込まれた状態で固定されたセンター役物と、を備え、
前記配置空間は、前記外郭形成部によって区画された前記センター役物の内方空間であり、かつ前記反射面は、前記外郭形成部の前記センター役物の内方に向いた内側面であり、
前記外郭形成部の前記内側面により前記貫通開口の内面を覆って前記センター役物の前記内方空間側から該貫通開口の内面が視認不能となるように構成した、
請求項１記載の弾球遊技機。
【発明の詳細な説明】
【技術分野】
【０００１】
本発明は、パチンコ機等の弾球遊技機に係り、特に、遊技領域に設けられたオブジェクトの配置空間内の遊技者への見せ方を改善し得る弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
上述した従来のパチンコ機では、遊技領域の中央部分にセンター飾りを備え、該センター飾りの側部にワープ導入口を備え、該ワープ導入口から入球した遊技球を始動チャッカー側に導くように転動させるステージを備えたものが存在する（特許文献１参照）。
【０００５】
上記特許文献１に記載のパチンコ機では、センター飾り内方に位置する液晶表示ユニットの周囲を縁取るように、つまり、パチンコ機に対面して着座した遊技者から見てセンター飾りの開口部奥側に位置する液晶表示ユニットの周縁に沿うように周縁反射部材が配置され、該周縁反射部材の反射面で反射した光（正面視とは異なる光）を遊技者に視認可能に構成されている。
【０００６】
【特許文献１】特開２００７−１１７２０２号公報
【発明の開示】
【発明が解決しようとする課題】
【０００７】
しかしながら、特許文献１に記載のパチンコ機によれば、上記周縁反射部材の存在により、遊技者に光を直接視認させる場合に比して種々の態様の光を見せるようにすることはできるものの、例えば周縁反射部材によってセンター飾り内方を映し出すことで左右方向での空間の広がりを持たせるようなことはできず、従って、センター飾り内方の空間は、物理的に限られた広さそのままの空間として遊技者にイメージされていた。
【０００８】
そこで本発明は、反射面を効果的に用いるなどにより、演出部材など様々なオブジェクトが配置された配置空間内を、実際の広さより広く遊技者にイメージさせ得るように構成した弾球遊技機を提供することを目的とするものである。
【課題を解決するための手段】
【０００９】
請求項１に係る本発明は（例えば図１ないし図６参照）、遊技領域（３Ａ）を有する遊技盤（３）と、該遊技領域（３Ａ）に設けられてオブジェクト（６７）を配置する配置空間（１８）と、を備え、前記遊技領域（３Ａ）に遊技球（Ｂａ）を打ち出して遊技してなる弾球遊技機（１）において、
前記配置空間（１８）の外郭を形成する外郭形成部（６８）の少なくとも一部に、前記配置空間（１８）内の前記オブジェクト（６７）を映す反射面（６８ａ）を設けてなる、
ことを特徴とする弾球遊技機（１）にある。
【００１０】
請求項２に係る本発明は（例えば図１及び図２参照）、前記遊技盤（３）に配置されたセンター役物（２３）を備え、かつ前記遊技領域（３Ａ）における該センター役物（２３）の左右幅方向の一側及び他側に、入賞装置（例えば５，４２，４３）が下流側に配置されている流路である第１流路（３ａ）及び前記入賞装置（例えば５，４２，４３）が下流側に配置されていない流路である第２流路（３ｂ）をそれぞれ備え、
前記外郭形成部（６８）が前記第２流路（３ｂ）に隣接し、かつ前記反射面（６８ａ）が該外郭形成部（６８）の内側面である、
請求項１記載の弾球遊技機（１）にある。
【００１１】
請求項３に係る本発明は（例えば図４及び図５参照）、前記遊技盤（３）にその表裏を貫通するように形成された貫通開口（３ｃ）と、該貫通開口（３ｃ）に嵌め込まれた状態で固定されたセンター役物（２３）と、を備え、
前記配置空間は、前記外郭形成部（６８）によって区画された前記センター役物（２３）の内方空間（１８）であり、かつ前記反射面は、前記外郭形成部（６８）の前記センター役物（２３）の内方に向いた内側面（６８ａ）であり、
前記外郭形成部（６８）の前記内側面（６８ａ）により前記貫通開口（３ｃ）の内面を覆って前記センター役物（２３）の前記内方空間（１８）側から該貫通開口（３ｃ）の内面が視認不能となるように構成した、
請求項１記載の弾球遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、配置空間の外郭を形成する外郭形成部の少なくとも一部に、配置空間内のオブジェクトを映す反射面を設けたので、弾球遊技機に対座して遊技している遊技者が、配置空間内のオブジェクトが映っている反射面を視認することで、該オブジェクトの配置空間をその実際の広さ以上の空間的広がりとして実感することができる。つまり、センター役物自体の大きさを実際より大きく感じさせ、反射面によって最大空間の広がりを演出することができる。また例えば、オブジェクトが森林の樹木や葉を模している場合には、それらを遊技者側から視認可能に映し出して、密林のイメージを効果的に醸し出すことができる。
【００１４】
請求項２に係る本発明によると、遊技盤に配置されたセンター役物を備え、かつ遊技領域における該センター役物の左右幅方向の一側及び他側に、入賞装置が下流側に配置されている流路である第１流路及び入賞装置が下流側に配置されていない流路である第２流路をそれぞれ備え、外郭形成部が第２流路に隣接しかつ反射面が該外郭形成部の内側面であるので、遊技者の注意（関心）を惹くことが殆どない第２流路側の所謂デッドスペースを利用して、センター役物内方の空間を広く感じさせ、センター役物の遊技者に与える迫力を増大させることができる。従って、センター役物に比して遊技者に注目させ得る箇所ではない第２流路側を、演出効果に寄与する箇所とすることができる。
【００１５】
請求項３に係る本発明によると、配置空間が、外郭形成部によって区画されたセンター役物の内方空間であり、かつ反射面が、外郭形成部のセンター役物の内方に向いた内側面であり、外郭形成部の内側面により貫通開口の内面を覆ってセンター役物の内方空間側から該貫通開口の内面が視認不能となるように構成したので、反射面でセンター役物内方を反射させることで貫通開口内面を遊技者に見せないように目隠しして、外観を向上させることができる。
【発明を実施するための最良の形態】
【００１６】
以下、本発明に係る弾球遊技機の実施の形態として、遊技場等に設置されるパチンコ機を図面に沿って説明する。図１は、本実施形態におけるパチンコ機の外部構造を示す正面図である。なお、本実施形態では、本発明の弾球遊技機を、始動チャッカーを２箇所有する所謂１種１種のパチンコ機として述べるが、本発明はこれに限らず、他の機能を有するパチンコ機にも適用可能であることは勿論である。
【００１７】
本実施形態のパチンコ機１は、図１に示すように、発射ハンドル２の操作による発射装置（図示せず）の作動で遊技球（所謂パチンコ玉）を遊技盤３の遊技領域３Ａに向かって打ち出しつつ遊技を行うもので、所謂確率変動等の大当たり（特別遊技状態）が発生した状態でアタッカー５に入球した遊技球に対応する数の遊技球を払い出すように構成される。上記確率変動当たり（「確変当たり」ともいう）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１８】
本パチンコ機１は、開口を有する枠体状の筐体６と、該筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上方左右及び下方左右にはスピーカー（図示せず）を有する放音装置１２が配設されている。ガラス枠１０における右側部には、前扉７を筐体６側に施錠し解放する施錠装置１３が配設されている。なお、筐体６及び前扉７等から遊技機本体が構成される。
【００１９】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２０】
また、皿ユニット１６の右部には、上記発射装置を操作して遊技球を遊技領域３Ａに向けて打ち出すための発射ハンドル２が配設されており、皿ユニット１６の左下方の台座部１５には灰皿２１及び遊技者参加ボタン（所謂チャンスボタン）２２が配設されている。なお、図１中の符号１４は、発射ハンドル２の操作で発射された遊技球Ｂａを遊技領域３Ａに導くガイドレールを示し、符号５５は、遊技中の状態をＬＥＤの発光などで報知する状態表示部を示している。
【００２１】
遊技領域３Ａには、中央部に形成された開口部３７と、遊技領域３Ａに打ち出された遊技球Ｂａを導入し得るように左上部に形成されたワープ導入口２６と、該ワープ導入口２６から導入された遊技球Ｂａを転動させるステージＳと、を有するセンター飾り（センター役物）２３が配置されている。また遊技領域３Ａには、該センター飾り２３の左右幅方向の左側（一側）及び右側（他側）に、第１流路３ａ及び第２流路３ｂがそれぞれに設けられている。上記第１流路３ａは、アタッカー５や始動チャッカー（入賞装置）４２，４３が下流側に配置されている流路であり、上記第２流路３ｂは、アタッカー５や始動チャッカー４２，４３が下流側に配置されていない流路である。
【００２２】
センター飾り２３は、開口部３７の下側に上記ステージＳを有しており、該ステージＳには、該ステージＳ上を転動する複数の遊技球のうちの何れかを落下させる落下孔４９が形成されている。該ステージＳの下方には、落下孔４９に連通した状態で該落下孔４９に落下した遊技球を後述の始動チャッカー４２に向けて放出する球放出口２４が形成されている。
【００２３】
また、センター飾り２３は、開口部３７の左上部に、ワープ導入口２６から導入された遊技球を案内路３０を介してステージＳに流下・案内するワープ通路２７と、第１流路３ａに打ち出された遊技球を流下させるように案内する案内通路２８と、第１流路３ａに打ち出された遊技球を流下させるように案内する案内路２９とを有している。上記案内路３０の下流端には、遊技球をステージＳに放出する放出口３１が設けられている。
【００２４】
遊技盤３には、画像表示装置３４が、開口部３７から画面を露出させた状態で遊技盤裏側から装着されている。センター飾り２３の下部左側には、大当たり抽選（特別遊技状態の抽選）に寄与しない一般の入賞が行われる入賞口（図示せず）が配設されており、センター飾り２３の下方には、始動チャッカー４２，４３、及びアタッカー５が順次配設されている。
【００２５】
また、始動チャッカー４２の直上方には、所謂命釘としての一対の障害釘３５が打ち込まれている。始動チャッカー４３の左方には、普通図柄抽選の契機となる入球が行われる普通図柄作動ゲート（スルーゲート）３２が配設されている。アタッカー５の下方には、発射ハンドル２の操作で遊技領域３Ａに打ち出されて、何れの入賞口にも入賞しなかった遊技球を遊技盤３の裏面に排出するためのアウト口３９が設けられている。
【００２６】
始動チャッカー４２，４３は、それぞれ大当たり抽選実行の契機となり得る入賞が行われるものであり、始動チャッカー４３は、始動チャッカー開閉ソレノイド（図示せず）によって開放位置と閉止位置とに開閉動作するように作動させられる。始動チャッカー４３は開閉式作動入賞部（所謂チューリップ）として形成されており、始動チャッカー４２は、開閉式作動入賞部ではない非作動な入賞口として形成されている。始動チャッカー４３は、直上方に位置する始動チャッカー４２の存在により、開放時にのみ入賞し得るように構成される。
【００２７】
アタッカー５は、始動チャッカー４２，４３への入賞に基づいて行われた大当たり抽選で当選した際に開閉して入賞が行われるものであり、アタッカー開閉ソレノイド（図示せず）によって開放位置と閉止位置とに開閉動作するように作動させられる。アタッカー５は、大当たり中、遊技球を入賞させる際、１回の開放で例えば９個の入球（即ち９カウント）を完了した時点で閉じ、この開閉動作を例えば１５回（即ち１５ラウンド）繰り返すように構成される。なお、これらカウント数及びラウンド数は、これらに限定されることはなく、設計に応じて適宜変更され得るものである。
【００２８】
遊技領域３Ａにおけるセンター飾り２３の下方には、ステージＳから零れた遊技球や、発射されてからステージＳに関与せずに落下してくる遊技球を適宜散らし、或いは入球に導くようにするための障害釘３５を含む多数の障害釘が打ち込まれている。また、ワープ導入口２６の周囲及びその上方側にも、障害釘２５をはじめとする多数の障害釘が打ち込まれている。
【００２９】
なお、本実施形態における「ワープ」とは、遊技領域３Ａに打ち出された遊技球を、該遊技領域３Ａの比較的下側に位置する道釘３６を経る等の経路を辿ることなく始動チャッカー４２側に導くことを意味する概念である。道釘３６は、遊技領域３Ａにおいて始動チャッカー４２，４３の左右に打ち込まれた障害釘の列であり、上方から転動落下してきた遊技球を始動チャッカー４２，４３方向に導く役割を担う。
【００３０】
ここで、本発明の特徴であるセンター飾り２３の側面等の構造について、図２ないし図５を参照して説明する。なお、図２はパチンコ機１から取り外した状態の遊技盤３を示す正面図、図３は図２におけるセンター飾り２３から取り外した上枠体２３ａを示す正面図、図４は図２におけるセンター飾り２３から上枠体２３ａを取り外した状態の下枠体２３ｂ等を示す正面図、図５は上枠体２３ａを取り外した際に遊技盤３側に残った外郭形成部６８と上枠体２３ａとの関係を示す斜視図である。図５では、外郭形成部６８の内側面６８ａや、該内側面６８ａと貫通開口３ｃとの関係を見やすくするため、図４に示したオブジェクト６７等を図示省略している。
【００３１】
センター飾り２３は、図２に示すように、遊技盤３の遊技領域３Ａ内に取り付けられた状態にて、開口部３７を含む内方空間１８と、該内方空間１８内に配置されたオブジェクト６７とを有している。外郭形成部６８により区画された上記内方空間１８は、遊技領域３Ａに設けられてオブジェクト６７を配置する配置空間を構成している。なお、符号５０は、ステージＳを転動する遊技球がその勢いで該ステージＳの右方に飛び出さないようにするための規制用壁面である。
【００３２】
センター飾り２３は、内方空間１８の外郭のうち右側部の外郭を形成しかつ第２流路３ｂに隣接する上記外郭形成部６８を有しており、該外郭形成部６８の外側に、図３に示す上枠体２３ａ側に設けられた外枠部６９を有している。外郭形成部６８のセンター飾り２３の内方に向いた内側面６８ａには、主に内方空間１８の内方に光を反射し得る反射面が形成されており、該反射面にてオブジェクト６７を映し出すように構成されている。ここで、「主に内方空間１８の内方に」とするのは、オブジェクト６７に対面するように配置された内側面６８ａは、内方空間１８の内方のみならず、内方空間１８の前側（センター飾り２３の前側）にも光を反射し得るからである。なお、本実施形態において、反射面である内側面６８ａは外郭形成部６８の全域に形成されているが、これに限らず、反射面である内側面６８ａを外郭形成部６８の一部（例えば上側部分のみ、中央部分のみ、下側部分のみ）に形成することも可能である。
【００３３】
図４に示すように、上枠体２３ａを取り外した際の遊技盤３側には、森林における木や木の葉、草類等を模したオブジェクト６７と、該オブジェクト６７に近接するように湾曲した状態で遊技盤上下方向に延在する外郭形成部６８とを有する下枠体２３ｂが装着されている。該下枠体２３ｂは、遊技盤３の裏側に固定されて位置する裏枠７２を有しており、該裏枠７２には、不図示の電気的接続ケーブルであるハーネスや照明基板等が配設されている。また遊技盤３には、センター飾り２３の開口部３７と略々一致するように開口部（３７）が形成されている。
【００３４】
更に遊技盤３には、図５に示すように、上記開口部（３７）の右方において主に外郭形成部６８及びオブジェクト６７の部位を遊技盤前方向に突出させるための貫通開口３ｃが、遊技盤３の表裏を貫通して形成されている。図５における該貫通開口３ｃは、図４における遊技盤３の開口部（３７）に繋がっている。従って、センター飾り２３は、外郭形成部６８及びオブジェクト６７の部位を、遊技盤３の背面側から貫通開口３ｃに貫通させて嵌め込み、かつ開口部３７を上記開口部（３７）に合わせて裏枠７２を遊技盤裏面に当接させた状態で、不図示のネジで遊技盤３の裏側から固定される。
【００３５】
図５において、上枠体２３ａは、下枠体２３ｂ側の外郭形成部６８と対向する部位に、該外郭形成部６８の湾曲形状と同様の湾曲形状を呈する湾曲部６９を有している（図３も併せて参照）。該湾曲部６９は、上枠体２３ａが下枠体２３ｂ側に嵌合・装着された際、その内側面６９ａを、外郭形成部６８の外側面６８ｂに接触させた状態を維持する。
【００３６】
以上の構成により、外郭形成部６８の内側面６８ａによって貫通開口３ｃの内面を覆い、センター飾り２３の内方空間１８側から該貫通開口３ｃの内面が視認不能となるようにされる。
【００３７】
外郭形成部６８は、光透過性を有する合成樹脂材（本実施形態では透明な合成樹脂材）で全体が構成されており、内側面６８ａの背面側である外側面６８ｂに蒸着シートが貼付されることで内側面６８ａが反射面として形成されている。なお、蒸着シートの貼付に代えて、外側面６８ｂ又は内側面６８ａに直接蒸着を施すことで該内側面６８ａそのものを反射面として構成することもでき、更には、上枠体２３ａを下枠体２３ｂに合わせて装着する際に、外郭形成部６８の外側面６８ｂと湾曲部６９の内側面６９ａとの間の間隙に薄い金属プレート（図示せず）を挿入することで、内側面６８ａを反射面として構成することもできる。
【００３８】
ついで、本パチンコ機１の背面構造について図６を参照して説明する。同図は、本パチンコ機１の背面構造を示す背面図である。
【００３９】
すなわち、図６に示すように、パチンコ機１の前扉背面における上部左方には、賞球タンク４４が取り付けられており、該賞球タンク４４の下方に、副制御基板３８、主制御基板４０、及び払出し制御基板５１がこの順に配設されている。また、前扉背面における上部右方には、外部端子板７４が取り付けられており、この外部端子板７４の下方に、整列待機通路４５、賞球装置４６、賞球排出通路４７、電源ユニット４１、及び発射装置（図示せず）用の発射制御基板７５がこの順に配設されている。パチンコ機１の前扉背面における左側部には、施錠装置１３が配設されている。
【００４０】
主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００４１】
次に、本パチンコ機１による作用について説明する。すなわち、本パチンコ機１に対面して着座した遊技者が発射ハンドル２を握り、適宜の角度に回動操作すると、不図示の発射装置の作動で遊技球が所定の時間間隔で遊技領域３Ａに向けて連続的に発射される。すると、遊技領域３Ａに打ち出されて転動落下する多数の遊技球は、始動チャッカー４２，４３、不図示の入賞口等に適時入賞し、或いは、これらに関与せずに転動落下して、遊技領域３Ａ最下部のアウト口３９から遊技盤３背面側に排出される。
【００４２】
その際、遊技領域３Ａに打ち出された多数の遊技球のうちの一部がワープ導入口２６に入球すると、該遊技球は、ワープ通路２７及び案内路３０を流下して、放出口３１からステージＳに放出される。すると、該遊技球は、放出口３１から放出された際の慣性力でステージＳ上をその右方に転がり移動し、右端部に到達して折り返した後、その勢いが弱まった時点で下流側に流下し、その流れの方向に応じて、更に転がり移動したり、落下孔４９に落下し球放出口２４から放出されて、高い入賞確率（略１００％）で始動チャッカー４２に入賞したりする。
【００４３】
以上説明した本実施形態では、内方空間１８の外郭を形成する外郭形成部６８に、内方空間１８内のオブジェクト６７を映す反射面６８ａを設けている。このため、パチンコ機１に対座して遊技している遊技者が、内方空間１８内のオブジェクト６７が映っている内側面６８ａを視認することで、該オブジェクト６７の内方空間１８をその実際の広さ以上の空間的広がりとして実感することができる。つまり、センター飾り２３自体の大きさを実際より大きく感じさせ、反射面である内側面６８ａによって最大空間の広がりを演出することができる。また、オブジェクト６７が森林の樹木や葉を模しているため、それらを遊技者側から視認可能に映し出して、密林のイメージを効果的に醸し出すことができる。
【００４４】
また、本実施形態では、遊技領域３Ａにおけるセンター飾り２３の左右幅方向の左側及び右側に、それぞれ第１流路３ａ及び第２流路３ｂを備えてなり、外郭形成部６８が第２流路３ｂに隣接し、かつ反射面を該外郭形成部６８の内側面６８ａとしている。このため、遊技者の注意（関心）を惹くことが殆どない第２流路３ｂ側の所謂デッドスペースを利用して、センター飾り２３内方の空間を広く感じさせ、センター飾り２３の遊技者に与える迫力を増大させることができる。従って、センター飾り２３に比して遊技者に注目させ得る箇所ではない第２流路３ｂ側を、演出効果に寄与する箇所とすることができた。
【００４５】
更に本実施形態では、本発明に係る配置空間が、外郭形成部６８によって区画されたセンター飾り２３の内方空間１８であり、かつ反射面が、外郭形成部６８のセンター飾り２３の内方に向いた内側面６８ａであり、該内側面６８ａにより貫通開口３ｃの内面を覆ってセンター飾り２３の内方空間１８側から該貫通開口３ｃの内面が視認不能となるように構成している。これにより、反射面でセンター飾り２３内方を反射させることで貫通開口３ｃ内面を遊技者に見せないように目隠しして、外観を向上させることができる。
【００４６】
以上、本発明をその好適な実施形態に基づいて説明したが、本発明の弾球遊技機は、上記実施形態の構成にのみ限定されるものではなく、上記実施形態の構成から種々の修正及び変更を施した弾球遊技機も、本発明の範囲に含まれる。
【図面の簡単な説明】
【００４７】
【図１】本発明を適用したパチンコ機の外部構造を示す正面図である。
【図２】本パチンコ機から取り外した状態の遊技盤を示す正面図である。
【図３】図２におけるセンター飾りから取り外した上枠体を示す正面図である。
【図４】図２におけるセンター飾りから上枠体を取り外した状態の下枠体等を示す正面図である。
【図５】上枠体を取り外した際に遊技盤側に残った外郭形成部と上枠体との関係を示す斜視図である。
【図６】本発明を適用したパチンコ機の背面構造を示す背面図である。
【符号の説明】
【００４８】
１    弾球遊技機（パチンコ機）
３  遊技盤
３Ａ    遊技領域
３ａ    第１流路
３ｂ    第２流路
３ｃ    貫通開口
５    アタッカー（入賞装置）
１８    配置空間（内方空間）
２３    センター役物（センター飾り）
４２，４３    始動チャッカー（入賞装置）
６７    オブジェクト
６８    外郭形成部
６８ａ    反射面（内側面）
Ｂａ    遊技球
【図１】
2009153746.tif 000003
【図２】
2009153746.tif 000004
【図３】
2009153746.tif 000005
【図４】
2009153746.tif 000006
【図５】
2009153746.tif 000007
【図６】
2009153746.tif 000008